(57)【要約】【課題】パネル材が既に固定された固定材の上下位置を容易に調整する。【解決手段】床パネル１１を大引１２の上に固定した状態で、床パネル１１を大引１２とともに吊り上げ、床パネル１１を吊り上げている間に、束１３の上部が大引１２の底を貫通するように束１３を大引１２に組み付け、大引１２の上下位置を調整するために、大引１２に組み付けられた束１３の上部に設けられたネジ頂部１７を操作して、大引１２に対する束１３の組み付け位置を上下方向において変更する。大引１２の上下位置を調整するためにネジ頂部１７を操作する際には、床パネル１１において大引１２の上に載った部分のうち、ネジ頂部１７の上方位置に設けられた切り欠き１１ａを通じてネジ頂部１７を操作する。【選択図】図３Ｂ
2018165459.tif 000002
【特許請求の範囲】
【請求項１】
建物の床を構成するパネル材を固定材の上に固定した状態で、前記パネル材を前記固定材とともに吊り上げることと、
前記パネル材を吊り上げている間に、前記固定材を支持する支柱を、該支柱の上部が前記固定材の底を貫通するように前記固定材に組み付けることと、
前記固定材の上下位置を調整するために、前記固定材に組み付けられた前記支柱の上部に設けられた被操作部を操作して、前記固定材に対する前記支柱の組み付け位置を上下方向において変更することと、を含み、
前記固定材の上下位置を調整するために前記被操作部を操作する際には、前記パネル材において前記固定材の上に載った部分のうち、前記被操作部の上方位置に設けられた開口部を通じて前記被操作部を操作することを特徴とする床の施工方法。
【請求項２】
前記固定材の上下位置を調整するために前記被操作部を操作する際には、前記パネル材において前記固定材の上に載った部分のうち、前記被操作部の上方位置に形成された穴又は切り欠きを通じて前記被操作部を操作することを特徴とする請求項１に記載の床の施工方法。
【請求項３】
前記パネル材を前記固定材とともに吊り上げる際には、複数の前記パネル材を、所定方向に長い前記固定材である大引の上に、該大引の長手方向に沿って並べて固定した状態で、複数の前記パネル材を前記大引とともに吊り上げることを特徴とする請求項１又は２に記載の床の施工方法。
【請求項４】
前記支柱を前記固定材に組み付ける際には、前記固定材が嵌合可能な受け部と、前記受け部の底壁を貫通して該底壁よりも上方に突出した前記被操作部とを備える前記支柱の前記受け部に、前記被操作部が前記固定材の底を貫通するように前記固定材を嵌合させることを特徴とする請求項１乃至３のいずれか一項に記載の床の施工方法。
【請求項５】
前記支柱を前記固定材に組み付ける際には、前記支柱のうち、前記被操作部を上端部に有する支柱本体を、前記固定材に形成された挿入孔に挿入して前記支柱を前記固定材に組み付け、
前記固定材の上下位置を調整するために前記被操作部を操作する際には、前記パネル材において前記固定材の上に載った部分のうち、前記挿入孔の上方位置に形成された前記開口部を通じて前記被操作部を操作することを特徴とする請求項１乃至３のいずれか一項に記載の床の施工方法。
【請求項６】
前記パネル材を前記固定材とともに吊り上げる際には、所定方向に長い前記固定材である大引の上に、該大引の長手方向と交差する方向における前記パネル材の中央部を固定した状態で、前記パネル材を前記大引とともに吊り上げることを特徴とする請求項１乃至５のいずれか一項に記載の床の施工方法。
【請求項７】
床を構成するパネル材と、
該パネル材を上面に載せて該パネル材を固定する固定材と、
該固定材を支持する支柱と、を有し、
前記支柱は、前記支柱の上部が前記固定材の底を貫通するように前記固定材に組み付けられており、
前記支柱の上部には、前記固定材に対する前記支柱の組み付け位置を上下方向において変更するために操作される被操作部が設けられ、
該被操作部が操作されて前記組み付け位置が変わることで前記固定材の上下位置が調整され、
前記パネル材において前記固定材の上に載った部分のうち、前記被操作部の上方位置にある箇所には開口部が設けられ、
前記被操作部は、前記開口部を通じて操作可能であることを特徴とする建物。
【発明の詳細な説明】
【技術分野】
【０００１】
本発明は、床の施工方法及び建物に係り、特に、床を構成するパネル材が固定材によって固定され、固定材が支柱によって支持されている構造の床を施工する施工方法、及び、当該床を備える建物に関する。
【背景技術】
【０００２】
建物の床構造として、床を構成するパネル材が大引等の固定材によって固定され、固定材が束等の支柱によって支持されている床構造は、既に知られている（例えば、特許文献１参照）。特許文献１に記載の床構造では、支柱としての束が大引支持部と支柱本体とベース部とを備えている。ベース部は、土間床等に接地される。大引支持部は、角筒状の大引を嵌め込んで大引を固定する部分である。支柱本体は、大引支持部の下方位置で大引支持部を支持する。また、支柱本体は、その中途位置にターンバックルを備えており、ターンバックルを回すことで支柱本体の高さを変更することが可能である。これにより、大引支持部の上下位置を調整することが可能である。
【先行技術文献】
【特許文献】
【０００３】
【特許文献１】特開２００２−１２１８８３号公報
【発明の概要】
【発明が解決しようとする課題】
【０００４】
特許文献１に記載の床構造をはじめ、大引を束によって支持する床構造では、大引を束に組み付けてから束のベース部を接地させ、その後、束の支柱本体の中途部分に設けられた被操作部（例えば、ターンバックル）を操作して大引の上下位置を調整する。この際、支柱本体の被操作部を操作するには、支柱本体の側方から被操作部を把持したり操作用工具を被操作部に近付けたりする。このため、従来の床構造では被操作部が操作し難くなっており、特に、大引上に床パネルを載せた後に大引の上下位置を調整する場合には被操作部の操作が著しく困難となる。
【０００５】
そこで、本発明は、上記の課題に鑑みてなされたものであり、その目的とするところは、パネル材が固定された状態の固定材の上下位置を容易に調整することが可能な床の施工方法を提供することである。
また、本発明の他の目的は、パネル材が既に固定された固定材の上下位置を容易に調整することが可能な床構造を採用した建物を提供することである。
【課題を解決するための手段】
【０００６】
前記課題は、本発明の床の施工方法によれば、建物の床を構成するパネル材を固定材の上に固定した状態で、前記パネル材を前記固定材とともに吊り上げることと、前記パネル材を吊り上げている間に、前記固定材を支持する支柱を、該支柱の上部が前記固定材の底を貫通するように前記固定材に組み付けることと、前記固定材の上下位置を調整するために、前記固定材に組み付けられた前記支柱の上部に設けられた被操作部を操作して、前記固定材に対する前記支柱の組み付け位置を上下方向において変更することと、を含み、前記固定材の上下位置を調整するために前記被操作部を操作する際には、前記パネル材において前記固定材の上に載った部分のうち、前記被操作部の上方位置に設けられた開口部を通じて前記被操作部を操作することにより解決される。
【０００７】
上述した本発明の床の施工方法によれば、パネル材が固定された固定材をパネル材と一体的に吊り上げている間に支柱を固定材に組み付ける。その後、支柱を接地させてから、支柱の上部に設けられた被操作部を操作して、固定材に対する支柱の組み付け位置を上下方向において変更する。これにより、固定材の上下位置が調整される。この際、パネル材において固定材の上に載った部分のうち、被操作部の上方位置に設けられた開口部を通じて被操作部を操作する。このような手順であれば、固定材の上に既にパネル材が固定された状態であっても、開口部を通じてパネル材の上方から被操作部に容易にアクセスし得るので、当該被操作部を操作して固定材の上下位置を簡単に調整することが可能となる。
【０００８】
また、上記の方法において、前記固定材の上下位置を調整するために前記被操作部を操作する際には、前記パネル材において前記固定材の上に載った部分のうち、前記被操作部の上方位置に形成された穴又は切り欠きを通じて前記被操作部を操作するとよい。
上述の方法では、パネル材において固定材の上に載った部分のうち、被操作部の上方位置には、開口部として形成された穴又は切り欠きが設けられており、固定材の上下位置を調整する際には、この穴又は切り欠きを通じて被操作部を操作する。これにより、被操作部を操作して固定材の上下位置を調整することが一層簡単になる。
【０００９】
また、上記の方法において、前記パネル材を前記固定材とともに吊り上げる際には、複数の前記パネル材を、所定方向に長い前記固定材である大引の上に、該大引の長手方向に沿って並べて固定した状態で、複数の前記パネル材を前記大引とともに吊り上げるとよい。
上記の方法では、固定材である大引の長手方向に沿って並べられた状態の複数のパネル材を大引とともに吊り上げる。これにより、複数のパネル材を一度に設置することが可能である。
【００１０】
また、上記の方法において、前記支柱を前記固定材に組み付ける際には、前記固定材が嵌合可能な受け部と、前記受け部の底壁を貫通して該底壁よりも上方に突出した前記被操作部とを備える前記支柱の前記受け部に、前記被操作部が前記固定材の底を貫通するように前記固定材を嵌合させてもよい。
上記の方法では、支柱の受け部に固定材を嵌合させることで、支柱を固定材に適切に組み付けることが可能となる。
【００１１】
また、上記の方法において、前記支柱を前記固定材に組み付ける際には、前記支柱のうち、前記被操作部を上端部に有する支柱本体を、前記固定材に形成された挿入孔に挿入して前記支柱を前記固定材に組み付け、前記固定材の上下位置を調整するために前記被操作部を操作する際には、前記パネル材において前記固定材の上に載った部分のうち、前記挿入孔の上方位置に形成された前記開口部を通じて前記被操作部を操作してもよい。
上記の方法では、固定材に形成された挿入孔に支柱の支柱本体を挿入することで、支柱を固定材に適切に組み付けることが可能となる。
【００１２】
また、上記の方法において、前記パネル材を前記固定材とともに吊り上げる際には、所定方向に長い前記固定材である大引の上に、該大引の長手方向と交差する方向における前記パネル材の中央部を固定した状態で、前記パネル材を前記大引とともに吊り上げるとよい。
上記の方法では、大引の長手方向と交差する方向におけるパネル材の中央部を固定材に固定する。かかる場合、固定材に支柱を組み付けてから支柱を接地させると、支柱（厳密には、パネル材の中央部が固定された固定材に組み付けられた支柱）の側方にアクセスし難くなる。このため、開口部を通じてパネル材の上方から被操作部にアクセスして当該被操作部を容易に操作するという本発明の効果が、有意義に発揮されることになる。
【００１３】
また、前述の課題は、本発明の建物によれば、床を構成するパネル材と、該パネル材を上面に載せて該パネル材を固定する固定材と、該固定材を支持する支柱と、を有し、前記支柱は、前記支柱の上部が前記固定材の底を貫通するように前記固定材に組み付けられており、前記支柱の上部には、前記固定材に対する前記支柱の組み付け位置を上下方向において変更するために操作される被操作部が設けられ、該被操作部が操作されて前記組み付け位置が変わることで前記固定材の上下位置が調整され、前記パネル材において前記固定材の上に載った部分のうち、前記被操作部の上方位置にある箇所には開口部が設けられ、前記被操作部は、前記開口部を通じて操作可能であることにより解決される。
上記のように構成された本発明の建物であれば、パネル材が既に固定された固定材の上下位置を容易に調整することが可能である。
【発明の効果】
【００１４】
本発明によれば、固定材の上下位置を調整するために支柱に設けられた被操作部を調整する際、パネル材に設けられた開口部を通じて、パネル材の上方から被操作部にアクセスすることが可能である。これにより、パネル材が固定材の上に固定された状態であっても、被操作部を容易に操作することが可能になる。
【図面の簡単な説明】
【００１５】
【図１】本発明の建物における床構造の一例を示す模式図である。
【図２Ａ】床の組み立て手順を示す図である。
【図２Ｂ】変形例に係る床の組み立て手順を示す図である。
【図３Ａ】大引を束に組み付ける直前の状態を示す図である。
【図３Ｂ】大引が束に組み付けられた状態を示す図である。
【図４】床パネルを吊り上げている状態を示す図である。
【図５】第二実施例において大引に束を組み付ける手順を示す図である。
【図６】第二実施例において束の組み付け位置が調整された状態を示す図である。
【発明を実施するための形態】
【００１６】
以下、本発明の建物及び当該建物の床の施工方法について具体例（第一実施例及び第二実施例）を挙げて説明する。なお、以下に説明する実施例は、本発明の理解を容易にするためのものであり、本発明を限定するものではない。すなわち、本発明は、その趣旨を逸脱することなく、変更、改良され得る。また、当然ながら、本発明にはその等価物が含まれ得る。
【００１７】
なお、以下では、互いに直交する３つの方向をＸ方向、Ｙ方向及びＺ方向と呼ぶこととする。ここで、Ｘ方向及びＹ方向は、水平方向である。より具体的に説明すると、Ｘ方向は、後述する大引１２の長手方向（所定方向に相当）に該当し、Ｙ方向は、大引１２の長手方向と交差（直交）する方向に該当する。また、Ｚ方向は、鉛直方向である。
【００１８】
＜＜第一実施例に係る建物の構成＞＞
第一実施例に係る建物（以下、建物１）は、例えば複数階建ての住宅や建屋であり、１階部分の床構造として、図１に図示した床構造を採用している。図１は、建物１における床構造の一例を示す模式図であり、Ｘ方向から床１０及び床下ユニット２０を見た図である。なお、図１に図示の床構造は、複数階建ての建物にのみ適用されるものではなく、平屋等、一階建ての建物にも適用可能である。
【００１９】
床１０は、パネル材としての床パネル１１を床設置スペースに敷きつめて不図示の化粧材を床パネル１１の上に固定することで構成されている。床パネル１１は、平面視で略長方形状の合板からなる。床下ユニット２０は、図１に示すように床１０と土間ＦＬとの間に配置され、床１０を下方から支えるものである。床下ユニット２０は、同図に示すように固定材としての大引１２と、支柱としての束１３と、を有する。
【００２０】
大引１２は、角筒状の鋼材からなり、その上端面に床パネル１１を載せた状態で当該床パネル１１を固定する。床パネル１１は、その長辺が大引１２の長手方向（Ｘ方向）と交差した状態で大引１２に固定される。また、大引１２には、図２Ａに示すように、複数の床パネル１１（例えば、４つの床パネル１１）が大引１２の長手方向、すなわちＸ方向に沿って並べられた状態で固定されている。図２Ａは、床１０の組み立て手順を示す図である。
【００２１】
床パネル１１と大引１２と関係について詳しく説明すると、図２Ａに図示のケースでは、４つの床パネル１１を一単位（以下、パネル群と呼ぶ）とし、パネル群の下に２又は３本の大引１２が配置されている。各大引１２の上にはパネル群（すなわち、４つの床パネル１１）がＸ方向に並べられた状態で配置されている。厳密に説明すると、各床パネル１１は、平面視で略直方形状をなしており、その長辺が隣り合う床パネル１１の長辺と重なるように配置されている。
【００２２】
また、大引１２のうちの一つ（以下、中央の大引１２）には、Ｙ方向における各床パネル１１の中央部が載っている。残りの大引１２（以下、端側の大引１２）には、Ｙ方向における床パネル１１の端部が載っている。
【００２３】
なお、３つの大引１２に固定されているパネル群では、図２Ａに示すように、Ｘ方向における各大引１２の一端部が、パネル群中、Ｘ方向において最も一端側に位置する床パネル１１よりも幾分はみ出している。はみ出した大引１２の端部には、図２Ａに示すように、２つの大引１２に固定された他のパネル群のうち、Ｘ方向において最も近い位置にある床パネル１１の端部が載置される。ただし、これに限定されるものではなく、図２Ｂに示すように、各パネル群を支持する大引１２の端がＸ方向において床パネル１１の縁から外側にはみ出さず、床パネル１１の縁と略同じ位置にあってもよい。この場合、各パネル群は、Ｘ方向において床パネル１１（厳密には、Ｘ方向において最も外側に位置する床パネル１１）の縁同士を突き合わせた状態で配置されることになる。図２Ｂは、変形例に係る床１０の組み立て手順を示す図であり、図２Ａに対応する図である。
【００２４】
また、３つの大引１２に固定されているパネル群では、図２Ａに示すように、端側の大引１２の略半分がＹ方向において床パネル１１の端よりも外側にはみ出している。端側の大引１２におけるはみ出し部分には、図２Ａに示すように、２つの大引１２に固定された他のパネル群のＹ方向端部が載置される。
【００２５】
束１３は、図１に示すように、大引１２の下方位置で大引１２を支持する部材である。束１３は、Ｘ方向に沿って略一定の間隔で大引１２に組み付けられる。なお、図２Ａ及び図２Ｂに図示した束１３の数は、図示の都合上、大引１２に対して実際に組み付けられる数よりも少なくなっている。
【００２６】
また、束１３は、図１に示すように、大引１２が嵌合可能な受け部１４と、鉛直方向に延出した支柱本体１５と、支柱本体１５の土台をなすベース部１６とを有する。ベース部１６は、土間ＦＬに接地される部分であり、例えば、ゴム製のブロック体等によって構成されている。支柱本体１５は、ベース部１６に対して立設された部分であり、棒状のネジ部１５ａと、ネジ部１５ａが挿入される筒状部１５ｂと、を有する。ネジ部１５ａの外周面には雄ネジが形成されており、筒状部１５ｂの内周面に形成された雌ネジと係合（螺合）している。
【００２７】
そして、ネジ部１５ａが順回転すると、ネジ部１５ａが筒状部１５ｂに対して上昇し、支柱本体１５の高さが増加する。反対に、ネジ部１５ａが逆回転すると、ネジ部１５ａが筒状部１５ｂに対して下降し、支柱本体１５の高さが減少する。このように支柱本体１５を含む束１３の高さは、ネジ部１５ａを回転させることで調整することが可能である。
【００２８】
ネジ部１５ａを回転させる際には、ネジ部１５ａの上端部に設けられたネジ頂部１７を、工具（例えばドライバーやプラグレンチ）によって操作する（回転させる）。つまり、ネジ頂部１７は、束１３の上部に設けられた被操作部に相当し、束１３の高さを変更する際に操作される部分である。
【００２９】
受け部１４は、束１３の上方部分、より具体的には筒状部１５ｂの上方位置に設けられた上向きＣ字状の鋼材からなる。この受け部１４は、図３Ａ及び図３Ｂに示すように、底壁１４ａと、底壁の両側端から立設された一対の側壁１４ｂとを有する。図３Ａは、大引１２を束１３に組み付ける直前の状態を示す図であり、図３Ｂは、大引１２が束１３に組み付けられた状態を示す図であり、束１３の高さ調整が終了した段階の図である。なお、図３Ａ及び図３Ｂは、法線方向がＸ方向であって後述の操作孔１２ａを通過する断面を示した図となっている。
【００３０】
底壁１４ａには貫通孔１４ｃが設けられており、図３Ａに示すように貫通孔１４ｃにネジ部１５ａの上端部が挿通されている。換言すると、ネジ頂部１７は、受け部１４の底壁１４ａを貫通して当該底壁１４ａよりも上方に突出していることになる。なお、底壁１４ａの下面には、図３Ａ及び図３Ｂに示すように、ナット（以下、下方ナット１８）が溶接されている。下方ナット１８は、その孔と底壁１４ａの貫通孔１４ｃとが連通するように底壁１４ａに固定されている。ネジ部１５ａの上端部は、下方ナット１８と螺合して底壁１４ａを貫くように配設されている。
【００３１】
一対の側壁１４ｂは、互いに離れた状態で配置されており、それぞれ上方に向かって延出している。各側壁１４ｂは、若干の弾性を有し、側壁１４ｂの上端部同士の間隔（換言すると、受け部１４の上端開口）が広がるように撓むことが可能である。また、各側壁１４ｂの延出方向中途位置には、内側（対をなす側壁１４ｂが位置する側）に突出した係合突起１４ｄが形成されている。
【００３２】
そして、受け部１４は、図３Ｂに示すように、底壁１４ａと一対の側壁１４ｂとによって囲まれたスペース内に大引１２を入れ込むことで大引１２と嵌合する。より具体的に説明すると、大引１２は、図３Ａ及び図３Ｂに示すように受け部１４の上方から受け部１４内部のスペースに入り込む。また、受け部１４における一対の側壁１４ｂの間の間隔（横幅）は、大引１２の両側部の間隔（横幅）と略一致する。このため、大引１２を受け部１４内に入れ込む際、受け部１４の上端開口が広がるように側壁１４ｂが撓む。これにより、大引１２がスムーズに受け部１４内に入り込むようになる。
【００３３】
以上のように受け部１４内に大引１２が入り込むことで束１３が大引１２に組み付けられる。また、大引１２の両側部の各々には、内側（対をなす側部が位置する側）に窪んだ係合凹部１２ｂが形成されている。束１３が大引１２に組み付けられた状態では、図３Ｂに示すように、大引１２の両側部の各々と隣り合う位置に受け部１４の側壁１４ｂが位置し、係合突起１４ｄが係合凹部１２ｂと対向して係合凹部１２ｂ内に入り込んでいる（係合している）。このように係合突起１４ｄが係合凹部１２ｂと係合することで、大引１２と受け部１４との嵌合状態（換言すると、大引１２に対する束１３の組み付け状態）を安定させることが可能となる。
【００３４】
また、束１３が大引１２に組み付けられた状態では、図３Ｂに示すように、ネジ頂部１７を含むネジ部１５ａの上端部が大引１２の底を貫通し、大引１２の底よりも上方に突出している。具体的に説明すると、大引１２のうち、束１３が組み付けられる部分の底には、図３Ａに示すように、大引１２を貫通した孔（以下、ネジ挿入孔１２ｃ）が形成されている。また、束１３では、ネジ部１５ａの上端部が受け部１４の底壁１４ａを貫くように配設されている。
【００３５】
そして、束１３を大引１２に組み付けるために大引１２を受け部１４に嵌合させるとき、上記のネジ挿入孔１２ｃ内にネジ部１５ａの上端部を挿通させる。この結果、束１３は、ネジ頂部１７を含むネジ部１５ａの上端部が大引１２の底を貫通するように大引１２に組み付けられる。
【００３６】
なお、大引１２の底を貫通したネジ部１５ａの上端部には、図１及び図３Ｂに示すように座金付きナット（以下、上方ナット１９）が取り付けられる。上方ナット１９がネジ部１５ａの上端部に取り付けられることで、大引１２に組み付けられた束１３が大引１２に対して固定される。
【００３７】
また、図３Ａ及び図３Ｂに示すように、大引１２の上壁のうち、ネジ挿入孔１２ｃと対向する部分、換言すると、束１３が大引１２に組み付けられた状態においてネジ部１５ａの上端部の直上位置に在る部分には円穴状の操作孔１２ａが設けられている。この操作孔１２ａは、その径がネジ頂部１７の外径よりも大きくなるように形成されている。より詳しく説明すると、操作孔１２ａの径は、上方ナット１９の最外径（座金部分の外径）よりも若干大きくなっている。
【００３８】
そして、ネジ頂部１７を操作する際には、操作孔１２ａを通じて操作する形になる。つまり、大引１２に組み付けられた束１３の高さを変更する際には、ネジ挿入孔１２ｃを通って大引１２の底を貫通したネジ頂部１７を操作する。この際、操作孔１２ａを通じてネジ頂部１７までアクセスしてネジ頂部１７を操作する形になる。
【００３９】
以上の要領でネジ頂部１７を操作すると、束１３の高さが変更される。そして、束１３の高さが変わると、これに伴って大引１２の上下位置が変化する。つまり、ネジ頂部１７の操作により、大引１２に対する束１３の組み付け位置が上下方向において変更する。ここで、組み付け位置とは、束１３の高さ方向（すなわち、Ｚ方向）において、束１３のうち、大引１２に組み付けられている部位の位置を意味する。
【００４０】
より詳しく説明すると、ネジ頂部１７の操作によって束１３の高さが変化する一方で、ネジ頂部１７に対する受け部１４及び大引１２の位置（相対位置）は、受け部１４の下面に溶接された下方ナット１８によって保持される。したがって、束１３の高さが変わると、大引１２に対する束１３の組み付け位置（具体的には、受け部１４の位置）が上下移動し、これに伴う形で大引１２の上下位置が調整される。
【００４１】
また、建物１の床構造では、大引１２の上に床パネル１１が既に固定された状態であっても、束１３中のネジ頂部１７を操作して束１３の高さ（換言すると、大引１２の上下位置）を変更することが可能である。かかる構成について図２Ａ、図２Ｂ及び図３Ａを参照しながら説明すると、床パネル１１において大引１２の上に載った部分のうち、操作孔１２ａの上方位置には開口部が設けられている。
【００４２】
より詳しく説明すると、床パネル１１において中央の大引１２の上に載っている部分（すなわち、Ｙ方向における床パネル１１の中央部）には、図２Ａに示すように開口部としての切り欠き１１ａが形成されている。この切り欠き１１ａは、Ｙ方向における床パネル１１の中央部の側縁（Ｘ方向における一端側の縁）を略三角形状に切り欠くことで形成されている。また、切り欠き１１ａは、図２Ａ及び図３Ａに示すように、中央の大引１２に形成された操作孔１２ａの直上位置に設けられている。さらに、切り欠き１１ａは、操作孔１２ａの開口サイズよりも幾分大きく、切り欠き１１ａの縁が操作孔１２ａの縁よりも外側に位置するように形成されている。
【００４３】
また、床パネル１１において端側の大引１２の上に載っている部分（すなわち、Ｘ方向における床パネル１１の端部）には、図２Ａに示すように開口部としての切り欠き１１ｂが形成されている。切り欠き１１ｂは、図２Ａに示すように、Ｘ方向において互いに隣り合う２つの床パネル１１の各々の角部を略三角形状に面取りすることで形成されている。また、切り欠き１１ｂは、端側の大引１２に形成された操作孔１２ａの直上位置に設けられている。また、切り欠き１１ｂは、操作孔１２ａの開口サイズよりも若干大きく、切り欠き１１ｂの外縁が操作孔１２ａの縁よりも外側に位置するように設けられている。なお、切り欠き１１ｂと操作孔１２ａとの位置関係については、切り欠き１１ａと操作孔１２ａとの位置関係（すなわち、図３Ａに図示の位置関係）と略同様である。
【００４４】
以上のように、床パネル１１において大引１２の上に載っている部分のうち、大引１２に組み付けられた束１３が有するネジ部１５ａの直上位置にある箇所には、開口部としての切り欠き１１ａ、１１ｂが設けられている。つまり、大引１２の底を貫通しているネジ部１５ａの頂部（すなわちネジ頂部１７）は、操作孔１２ａ及び切り欠き１１ａ、１１ｂを通じて床パネル１１の上方空間に対して露出している。このため、ネジ頂部１７は、切り欠き１１ａ、１１ｂ及び操作孔１２ａを通じて操作可能となる。このような構成であれば、床パネル１１の上方から切り欠き１１ａ、１１ｂ及び操作孔１２ａを通じてネジ頂部１７にアクセスしてネジ頂部１７を操作することが可能となる。
【００４５】
なお、開口部としては、切り欠き１１ａ、１１ｂに限定されるものではない。例えば、図２Ａにおいて切り欠き１１ａ、１１ｂが形成されている箇所に、切り欠き１１ａ、１１ｂの代わりに、図２Ｂに示すように円穴１１ｃ（穴の一例）が形成されていてもよい。円穴１１ｃは、大引１２に形成された操作孔１２ａの直上位置に一つずつ設けられており、操作孔１２ａの径よりも若干大径となっている。このような円穴１１ｃが設けられていることで、大引１２の底を貫通しているネジ部１５ａの頂部（ネジ頂部１７）は、床パネル１１の上方空間に対して露出するようになる。この結果、図２Ｂに図示の構成においても、床パネル１１の上方から円穴１１ｃ及び操作孔１２ａを通じてネジ頂部１７にアクセスしてネジ頂部１７を操作することが可能となる。
【００４６】
＜＜第一実施形態に係る床の施工方法＞＞
次に、第一実施形態に係る床１０の施工方法について説明する。なお、以下では、図２Ａに図示した構造の床１０を施工する場合を例に挙げて説明する。
【００４７】
第一実施形態に係る床１０を施工する上では、先ず、床パネル１１をクレーン等によって吊り上げて所定の配置場所（具体的には、建設途中の建物において床パネル１１を設置する場所）まで搬送する。この時点で、床パネル１１は、既に大引１２の上に固定されている。すなわち、床パネル１１を吊り上げる工程では、図４に示すように、床パネル１１を大引１２の上に固定した状態で床パネル１１を大引１２とともに吊り上げる。図４は、床パネル１１を吊り上げている状態を示す図である。
【００４８】
また、大引１２の上には複数の床パネル１１（パネル群）がＸ方向に沿って並んだ状態で固定されている。したがって、床パネル１１を大引１２とともに吊り上げる際には、図４に示すように、複数の床パネル１１（パネル群）を大引１２とともに吊り上げる。
【００４９】
また、パネル群は複数の大引１２に固定されており、そのうちの一つ（具体的には、中央の大引１２）には、Ｙ方向における各床パネル１１の中央部が固定されている。また、残りの大引１２（具体的には、端側の大引１２）には、Ｙ方向における各床パネル１１の端部が固定されている。以上の状態で複数の床パネル１１（パネル群）を複数の大引１２とともに吊り上げる。このように第一実施形態では、床パネル１１を吊り上げる段階で複数の床パネル１１が既に大引１２に固定されている。これにより、複数の床パネル１１を一度に吊り上げて効率よく搬送することが可能となる。
【００５０】
第一実施形態では、床パネル１１を大引１２とともに吊り上げている間に束１３を大引１２に組み付ける。具体的に説明すると、束１３を大引１２の下方から大引１２に近付ける。そして、上述した手順により、束１３が有する受け部１４に大引１２の所定部分（具体的には、Ｘ方向においてネジ挿入孔１２ｃが形成されている部分）を嵌合させる。この際、束１３が有するネジ部１５ａの上端部を、大引１２の底に形成されたネジ挿入孔１２ｃに挿通させる。これにより、ネジ頂部１７を含むネジ部１５ａの上端部が大引１２の底を貫通した状態で、束１３が大引１２に組み付けられる（換言すると、大引１２が受け部１４に嵌合する）。
【００５１】
その後、束１３のベース部１６を土間ＦＬに接地させた上で、大引１２の上下位置（すなわち、床レベル）を調整するために、各束１３が支柱本体１５に備えたネジ部１５ａのネジ頂部１７を操作して束１３の高さを変更する。この際、床パネル１１において大引１２の上に載った部分のうち、ネジ頂部１７の上方位置に形成された切り欠き１１ａ、１１ｂを通じてネジ頂部１７を操作する。
【００５２】
より詳しく説明すると、束１３が大引１２に組み付けられた状態において、ネジ頂部１７の直上位置には、大引１２の上壁に形成された操作孔１２ａ、及び、床パネル１１に形成された切り欠き１１ａ、１１ｂが設けられている。つまり、ネジ頂部１７は、床パネル１１の上方空間に対して露出している。これにより、床パネル１１の上方から操作孔１２ａ及び切り欠き１１ａ、１１ｂを通じてネジ頂部１７を操作し得るようになる。より詳しく説明すると、作業者（すなわち、床の施工者）は、操作孔１２ａ及び切り欠き１１ａ、１１ｂを通じて工具を差し込み、当該工具によってネジ頂部１７を操作してネジ部１５ａを回転させる。
【００５３】
そして、ネジ部１５ａの回転によって束１３の高さが変更し、これに伴って大引１２の上下位置（床レベル）が調整される。最終的に大引１２の上下位置が所望の位置に達した時点で、作業者は、操作孔１２ａ及び切り欠き１１ａ、１１ｂを通じて上方ナット１９をネジ頂部１７に螺合させる。これにより、大引１２が所望の高さに配置された状態で束１３が大引１２に対して固定されるようになる。
【００５４】
その後、化粧材の設置等を含む後段の工程が実施される。そして、床１０の施工に関する一連の工程が実施されることで床１０及び床下ユニット２０が完成し、これを以て床１０の施工作業が終了する。
【００５５】
＜＜第二実施例に係る建物及び床の施工方法＞＞
次に、第二実施例に係る建物及び床の施工方法について説明する。第二実施例では、固定材に相当する大引の構造、支柱に相当する束の構造、及び束を大引に組み付ける方法が第一実施例とは異なる。また、上記以外の点において、第二実施例は、第一実施例と共通する。そのため、以下では、第二実施例のうち、第一実施例と相違する点を主に説明する。
【００５６】
第二実施例に係る大引（以下、大引３０）は、角柱状の部材であり、例えば木材や鋼管からなる。大引３０の上面にはＸ方向に沿って複数の床パネル１１が固定されている。また、大引３０には、Ｘ方向において略一定間隔で円穴状の挿入孔３０ａが形成されている。
【００５７】
また、各床パネル１１において大引３０の上に載っている部分のうち、挿入孔３０ａの直上位置に在る箇所には、図５に示すように切り欠き１１ａ、１１ｂ（図５では、図示の都合上、切り欠き１１ａのみ記載）が形成されている。この切り欠き１１ａ、１１ｂは、第一実施形態における切り欠き１１ａ、１１ｂに相当する開口部であり、第一実施形態における形成位置と略同じ位置に形成されている。なお、切り欠き１１ａ、１１ｂの代わりに円穴が開口部として形成されてもよい。切り欠き１１ａ、１１ｂは、その外縁が挿入孔３０ａの縁よりも外側に位置するように形成されている。図５は、第二実施例において大引３０に束３２を組み付ける手順を示す図である。なお、図５は、図３Ａ及び図３Ｂが示す断面に相当する断面を示している。
【００５８】
さらに、大引３０の下面には、図５に示すように、筒状の部品（以下、ネジ保持部材３１）が取り付けられている。ネジ保持部材３１は、その内部空間が挿入孔３０ａと連通した状態で大引３０の下面に固定されている。ネジ保持部材３１の内径は、挿入孔３０ａの径よりも僅かに小さくなっており、また、ネジ保持部材３１の内周面にはネジ山が形成されている。
【００５９】
第二実施例に係る束（以下、束３２）は、複数の部品に分割されており、これらの部品を組み立てることで構成される。具体的に説明すると、束３２は、支柱本体３３とベース部３６とを有する。支柱本体３３及びベース部３６は、図５に示すように分離可能であり、束３２が大引３０に組み付けられる時点で連結する。
【００６０】
支柱本体３３は、外周面の一部にネジ山が形成されたシャフトの部品であり、図５に示すように互いに形が異なる３つの部分（以下、小径ネジ部３３ａ、中径部３３ｂ及び大径ネジ部３３ｃという）を有する。小径ネジ部３３ａは、支柱本体３３において最も小径であり、支柱本体３３の下端部に位置する。中径部３３ｂは、小径ネジ部３３ａよりも大径で、かつ、大径ネジ部３３ｃよりも小径であり、支柱本体３３の中央部に位置する。大径ネジ部３３ｃは、支柱本体３３において最も大径であり、支柱本体３３の上端部に位置する。そして、小径ネジ部３３ａ及び大径ネジ部３３ｃの外周面にはネジ山が形成されている一方で、中径部３３ｂの外周面は平坦面（ネジ山が形成されていない面）となっている。
【００６１】
また、大径ネジ部３３ｃの外周面に形成されたネジ山は、ネジ保持部材３１の内周面に形成されたネジ山と係合（螺合）することが可能である。そして、支柱本体３３は、大径ネジ部３３ｃがネジ保持部材３１内に挿入された状態で順方向に回転すると下方に向かって移動する。また、支柱本体３３が下方に移動すると、やがて支柱本体３３がネジ保持部材３１の下端開口から突出するようになる。ネジ保持部材３１の下端開口からの支柱本体３３の突出量は、支柱本体３３の移動の向き及び移動量によって調整可能である。
【００６２】
また、図５に示すように、支柱本体３３の上端部には、被操作部としての軸頂部３５が設けられている。大径ネジ部３３ｃがネジ保持部材３１内に挿入された状態で軸頂部３５が操作されると、支柱本体３３が回転して上下方向に移動する。
【００６３】
ベース部３６は、図５に示すように、略円錐台状の接地部３６ａと、接地部３６ａの上端から上方に向かって立設された立設部３６ｂと、を有する。接地部３６ａは、束３２の下端部をなし、土間ＦＬの上に接地される。立設部３６ｂは、略円筒形状をなし、その外周面にはネジ山が形成されている。立設部３６ｂの外径は、ネジ保持部材３１の内径と略同径である。
【００６４】
また、大引３０に対して束３２を組み付け始める段階では、図５に示すように、立設部３６ｂがネジ保持部材３１の内部空間の下方領域に入り込んでいる。この状態において、立設部３６ｂの外周面に形成されたネジ山と、ネジ保持部材３１の内周面に形成されたネジ山とが螺合している。なお、ベース部３６は、ネジ保持部材３１に対して順方向に回転すると、立設部３６ｂがネジ保持部材３１内に入り込む向き（すなわち、上方）に移動する。反対に、ベース部３６は、ネジ保持部材３１に対して逆方向に回転すると、立設部３６ｂがネジ保持部材３１から外れる向き（すなわち、下方）に移動する。
【００６５】
また、ベース部３６の略中央部分には、ベース部３６を貫通する貫通孔が設けられている。この貫通孔には、大引３０に対して束３２を組み付ける際、図６に示すように小径ネジ部３３ａが挿入される。なお、貫通孔の内周面にはネジ山が形成されており、このネジ山が小径ネジ部３３ａのネジ山と係合（螺合）する。図６は、第二実施例において束３２の組み付け位置が調整された状態を示す図であり、図５と同じ断面を示している。
【００６６】
そして、支柱本体３３は、小径ネジ部３３ａがベース部３６の貫通孔に差し掛かった状態で支柱本体３３が順方向に回転すると、小径ネジ部３３ａが上記の貫通孔内に進入し、この結果、支柱本体３３とベース部３６とが連結するようになる。
【００６７】
次に、上述した大引３０に対して束３２を組み付け、大引３０の上下位置を調整する手順について説明する。大引３０に束３２を組み付け始める段階では、図５に示すように、立設部３６ｂがネジ保持部材３１の内部空間の下部に入り込んでおり、立設部３６ｂのネジ山とネジ保持部材３１のネジ山とが螺合している。かかる状態において、大引３０に形成された各挿入孔３０ａに、支柱本体３３を床パネル１１の上方から挿入する。ここで、大引３０の上に載っている床パネル１１のうち、挿入孔３０ａの上方位置に在る部分には、挿入孔３０ａよりも大きな切り欠き１１ａ、１１ｂが形成されている。これにより、支柱本体３３が挿入孔３０ａ内にスムーズに挿入されるようになる。
【００６８】
支柱本体３３が挿入孔３０ａに挿入されると、小径ネジ部３３ａがネジ保持部材３１内に進入し、やがてネジ保持部材３１に係合したベース部３６の接地部３６ａに到達する。その後、作業者（すなわち、床の施工者）が軸頂部３５を操作して支柱本体３３を順方向に回転させると、小径ネジ部３３ａがベース部３６に形成された貫通穴内に入り込み、当該貫通孔の内周面に形成されたネジ山と、小径ネジ部３３ａの外周面に形成されたネジ山とが螺合するようになる。また、小径ネジ部３３ａのネジ山と上記の貫通孔のネジ山とが螺合した状態で支柱本体３３が順方向に回転すると、ベース部３６が一体的に回転するようになる。つまり、ベース部３６がネジ保持部材３１に対して順方向に回転し、結果として、ベース部３６の立設部３６ｂがネジ保持部材３１内に更に入り込むようになる。
【００６９】
作業者が更に軸頂部３５を操作して支柱本体３３を順方向に回転させ続けると、やがて小径ネジ部３３ａと中径部３３ｂとの段差が立設部３６ｂの上端面に当接する位置まで、小径ネジ部３３ａがベース部３６の貫通孔に入り込む。その状態において作業者が軸頂部３５を操作して支柱本体３３を順方向に回転させる（分かり易くは、増し締めする）と、支柱本体３３とベース部３６とが連結し、束３２として一体化するようになる。
【００７０】
作業者は、それまで行っていた操作の向きとは逆の向きに軸頂部３５を操作することで、束３２として一体化した支柱本体３３及びベース部３６を、ネジ保持部材３１に対して逆方向に回転させる。これにより、ネジ保持部材３１内に嵌まり込んでいるベース部３６の立設部３６ｂが下方に移動し、やがてネジ保持部材３１の外に出てネジ保持部材３１から外れる。この際、支柱本体３３は、ベース部３６に固定された状態でベース部３６と一体的に移動し、具体的には、小径ネジ部３３ａ及び中径部３３ｂがネジ保持部材３１の貫通孔内を通過する。そして、支柱本体３３は、大径ネジ部３３ｃのネジ山とネジ保持部材３１の貫通孔内に形成されたネジ山とが螺合する位置まで移動する。以上までの手順により、大引３０に対して束３２が組み付けられる。
【００７１】
その後、作業者は、図６に図示の治具Ｔを取り付けた工具（具体的には、不図示のインパクトドライバー）を用いて軸頂部３５を引き続き操作する。治具Ｔは、有底筒型形状をなしており、治具Ｔの内部空間の底には嵌合突起Ｔａが突出形成されている。この嵌合突起Ｔａは、棒状レンチをなしており、治具Ｔ内に軸頂部３５が挿入された際に、軸頂部３５の上端面に形成された嵌合孔３４に嵌合される。なお、嵌合突起Ｔａの断面形状及び嵌合孔３４の開口形状は、両者が対応するものである限り任意に設定することができ、例えば、円形、方形状あるいは六角形であってもよい。
【００７２】
作業者は、図６に示すように、治具Ｔ内に支柱本体３３の上端部を入れ、軸頂部３５の嵌合孔３４に治具Ｔの嵌合突起Ｔａを嵌合させる。かかる状態でインパクトドライバーを操作すると、支柱本体３３がネジ保持部材３１に対して順方向に回転し、ベース部３６とともに下方に向かって移動する。これにより、ベース部３６は、接地部３６ａが土間ＦＬに接地する位置まで下降するようになる。
【００７３】
作業者がインパクトドライバーにて軸頂部３５を引き続き操作すると、支柱本体３３及び大引３０に対して下降し続け、ネジ保持部材３１からの支柱本体３３の突出量が徐々に増加する。これにより、大引３０に対する束３２の組み付け位置が変化し、これに伴って、大引３０の上下位置が調整される（具体的には、大引３０が徐々に土間ＦＬから離れる）。
【００７４】
作業者は、図６に示すように治具Ｔの先端が大引３０における挿入孔３０ａの縁に係止される位置まで軸頂部３５を操作し続ける。これにより、大引３０の上下位置は、最終的に、図６に図示の位置（すなわち、治具Ｔの先端が大引３０における挿入孔３０ａの縁に係止された時点での位置であり、以下、「最終調整位置」という）となる。
【００７５】
なお、第二実施例では、大引３０の上下位置を調整するために軸頂部３５を操作する際に、床パネル１１において大引３０の上に載った部分のうち、挿入孔３０ａの上方位置に形成された切り欠き１１ａ、１１ｂを通じて軸頂部３５を操作する。これにより、床パネル１１の上方から切り欠き１１ａ、１１ｂを通じて軸頂部３５にアクセスして軸頂部３５を操作することが可能となる。このような構成により、第二実施例では、大引３０上に床パネル１１が固定された状態であっても、大引３０の上下位置を簡単に調整することが可能となる。
【００７６】
また、第二実施例では、軸頂部３５を操作する際に、図６に図示の治具Ｔを用いて操作する。そして、治具Ｔの先端が大引３０における挿入孔３０ａの縁に係止されるようになるまで、軸頂部３５を操作し続ける。これにより、ネジ保持部材３１からの支柱本体３３の突出量（換言すると、大引３０に対する束３２の組み付け位置）が予め設定された量となり、大引３０の上下位置が一律の位置、具体的には最終調整位置に調整される。この結果、複数の束３２を大引３０に組み付ける際、各束３２の組み付け位置を容易に揃えることが可能となる。
【符号の説明】
【００７７】
１  建物
１０  床
１１  床パネル（パネル材）
１１ａ  切り欠き（開口部）
１１ｂ  切り欠き（開口部）
１１ｃ  円穴（開口部、穴）
１２  大引（固定材）
１２ａ  操作孔
１２ｂ  係合凹部
１２ｃ  ネジ挿入孔
１３  束（支柱）
１４  受け部
１４ａ  底壁
１４ｂ  側壁
１４ｃ  貫通孔
１４ｄ  係合突起
１５  支柱本体
１５ａ  ネジ部
１５ｂ  筒状部
１６  ベース部
１７  ネジ頂部（被操作部）
１８  下方ナット
１９  上方ナット
２０  床下ユニット
３０  大引（固定材）
３０ａ  挿入孔
３１  ネジ保持部材
３２  束（支柱）
３３  支柱本体
３３ａ  小径ネジ部
３３ｂ  中径部
３３ｃ  大径ネジ部
３４  嵌合孔
３５  軸頂部（被操作部）
３６  ベース部
３６ａ  接地部
３６ｂ  立設部
ＦＬ  土間
Ｔ  治具
Ｔａ  嵌合突起
【図１】
2018165459.tif 000003
【図２Ａ】
2018165459.tif 000004
【図２Ｂ】
2018165459.tif 000005
【図３Ａ】
2018165459.tif 000006
【図３Ｂ】
2018165459.tif 000007
【図４】
2018165459.tif 000008
【図５】
2018165459.tif 000009
【図６】
2018165459.tif 000010